(57)【要約】      （修正有）【課題】商品コードの読み取りなどにより商品情報の入力が行われる商品と、この入力により表示される商品の精算情報とを、買い物客が、背の高さや立ち位置等の条件に左右されることなく、略同時に視認可能となるようにする。【解決手段】読取窓８より出射した走査光により商品に付されたバーコードを読み取るバーコード読取装置３と、読み取られた商品の精算情報を表示するためのディスプレイ４とを備えた店舗用精算装置１において、買い物客が、商品と精算情報とを略同時に視認可能となるように、ディスプレイ４を透明あるいは半透明な部材により形成するとともに、読取窓８と隣接して設けた。【選択図】図１
2010108515.tif 000002
【特許請求の範囲】
【請求項１】
商品が接触または非接触により対向される対向部を有し、この対向部を介して商品に付された商品コードの読み取りまたは商品の計量等を行うことで、商品情報が入力される商品情報入力手段と、
透明あるいは半透明な部材により形成されるとともに、前記商品情報に基づいて特定された精算情報を表示する表示部を有し、前記商品と精算情報とを前記表示部を透過して客が同時に視覚的に確認可能となるように、前記対向部に隣接して設けられた表示手段と、
前記精算情報の表示を、読み取り商品の移動方向と同じになるように、少なくとも一定区間、前記表示部上を一方向から他方向に向けて移動表示制御する表示制御手段と、
前記情報を表示する表示部は、着色処理された着色部からなる商品情報表示領域を備え、前記着色部は、客が商品を視認可能な程度の範囲内で半透明となるように、着色部外と比べて透過率が下げられている透過手段と、
を備えたことを特徴とする店舗用精算装置。
【発明の詳細な説明】
【技術分野】
【０００１】
本発明は、スーパーマーケットストア等の店舗で、購入された商品の精算処理を行う店舗用精算装置に関する。
【背景技術】
【０００２】
店舗用精算装置のデータ入力装置として、例えば、オペレータによりバーコードを読み取られた商品と、ディスプレイに表示されたこの商品の価格情報とを、商品に付されたバーコードと同時に価格ディスプレイも一括して視認することができるようにしたスタンド型レーザスキャナが知られている（例えば、特許文献１参照）。
【０００３】
この特許文献１のスタンド型レーザスキャナは、内部にレーザ光源やポリゴンミラーからなる走査光学系が組み込まれるとともに、外部の一端に緑色光にて価格情報を表示する価格表示器（ディスプレー）が取り付けられた基台と、この基台の略中央部から柱状に立設した透明な導光板とから構成されている。
【０００４】
この透明導光板のオペレータ側の側面には、上端部に位置して走査光出射窓が開口されている。基台内部の走査光学系により発生した走査光は、透明導光板内に入射した後、全反射を繰り返しながらこの透明導光板内を駆け上がり、やがて、前記走査光出射窓より出射される。オペレータは、この走査光出射窓より出射する走査光に商品（バーコード）をかざすことで、商品の読み取り操作を行うようになっている。
【０００５】
一方、透明導光板の客側（走査光出射窓と反対側）の側面には、前記価格表示器に表示される価格情報を反射可能な位置に、反射型ホログラムが形成されている。この反射型ホログラムは、特定の波長のみ反射する回折特性を有しており、価格表示器より出射される、価格情報を含んだ緑色の情報光のみを反射し、他の波長の光は透過するようになっている。このため、買い物客は、この反射型ホログラムおよび透明導光板を透過して、オペレータが読み取り操作を行う様子を視認可能となっている。
【０００６】
従って、オペレータが走査光出射窓より出射された走査光に商品（バーコード）をかざした際には、バーコードが透明導光板および反射型ホログラムを透過して買い物客の目に入るのと同時に、価格表示器より発せられて反射型ホログラムにより反射回折された情報光も買い物客の目に入る。その結果、買い物客は、商品（バーコード）の近傍に、価格の虚像を重ねてみることができる。
【発明の概要】
【発明が解決しようとする課題】
【０００７】
しかしながら、上述したスタンド型レーザスキャナにおいては、情報光を反射型ホログラムにより反射させて買い物客に視認させることから、買い物客の背の高さや、チェックアウトカウンタに並ぶ買い物客の立ち位置等の条件によっては、反射型ホログラムの反射角度範囲から買い物客の頭部位置が外れ、買い物客から価格情報が見難くなることがあり、この特許文献１のレーザスキャナはこのような点を考慮されていない。
【０００８】
本発明は、上記課題に鑑みなされたものであり、商品コードの読み取りなどにより商品情報の入力が行われる商品と、この入力操作が行われることにより表示される商品の精算情報とを、買い物客が、背の高さや立ち位置等の条件に左右されることなく、略同時に視認可能となる店舗用精算装置を提供することを目的とする。
【課題を解決するための手段】
【０００９】
上記目的を達成するために、本発明の店舗用精算装置は、商品が接触または非接触により対向される対向部を有し、この対向部を介して商品に付された商品コードの読み取りまたは商品の計量等を行うことで、商品情報が入力される商品情報入力手段と、透明あるいは半透明な部材により形成されるとともに、前記商品情報に基づいて特定された精算情報を表示する表示部を有し、前記商品と精算情報とを前記表示部を透過して客が同時に視覚的に確認可能となるように、前記対向部に隣接して設けられた表示手段と、前記精算情報の表示を、読み取り商品の移動方向と同じになるように、少なくとも一定区間、前記表示部上を一方向から他方向に向けて移動表示制御する表示制御手段と、前記情報を表示する表示部は、着色処理された着色部からなる商品情報表示領域を備え、前記着色部は、客が商品を視認可能な程度の範囲内で半透明となるように、着色部外と比べて透過率が下げられている透過手段と、を備えたことを特徴としている。
【発明の効果】
【００１０】
本発明によれば、買い物客は、背の高さや立ち位置等の条件に左右されることなく、商品コードの読み取りなどにより商品情報の入力が行われる商品と、この入力操作が行われることにより表示される商品の精算情報とを、略同時に視認可能となる。
【図面の簡単な説明】
【００１１】
【図１】本発明の第一の実施形態に係る店舗用精算装置を具備したチェックアウトカウンタを示す斜視図。
【図２】図１の店舗用精算装置を客側からオペレータ側に向けて見た図。
【図３】図１の店舗用精算装置を、一部を省略して側面から見た図。
【図４】図３の店舗用精算装置について、異なる背の高さを有する客からの視線を説明する図。
【図５】図１の店舗用精算装置について、客が正面に立った場合の視線を説明する図。
【図６】図５の店舗用精算装置について、客がより下流側の位置に立った場合の視線を説明する図。
【図７】図１の店舗用精算装置における表示部の断面図。
【図８】本発明の第二の実施形態に係る店舗用精算装置を示す図。
【図９】本発明の第三の実施形態に係る店舗用精算装置を示す図。
【図１０】図９とは異なる態様の店舗用精算装置を示す図。
【発明を実施するための形態】
【００１２】
以下、図１乃至図７を参照して、本発明の第一の実施形態を説明する。なお、この説明において、オペレータ側とは、図１に示すサッカー台２を基準としてこれより手前側（左下方向）、即ち、バーコード読み取り操作が行われる側を指し、客側とは、サッカー台２を基準としてこれより奥側（右上方向）を指すものとする。
【００１３】
図１は本発明の一実施形態に係る店舗用精算装置を具備したチェックアウトカウンタの構成図であり、このチェックアウトカウンタは、店舗用精算装置１と、店舗用精算装置１の一部および商品を収容する買い物かご９、１０を載置するためのサッカー台２とから構成されている。
【００１４】
店舗用精算装置１は、サッカー台２の略中央に載置されるとともに、読取窓８（対向部）より出射した走査光により商品に付されたバーコード（商品情報）を読み取るバーコード読取装置３（商品情報入力手段）と、バーコード読取装置３内に設けられ、読み取った商品情報を、ＬＡＮ等で接続された店舗サーバに格納されたＰＬＵ（台帳データ）と照合することにより、商品の精算情報を特定する図示しない制御手段と、バーコード読取装置３の上部に設けられ、特定された精算情報などを表示するディスプレイ４（表示手段）と、読取窓８に隣接して設けられ、バーコードが付されていない商品についての商品情報入力など、オペレータが必要に応じてデータ入力を行うためのキーボード５と、このキーボード５の上部に設けられ、キーボード５により入力されるデータや、精算情報、設定情報などを表示するオペレータ用ディスプレイ６と、チェックアウトカウンタにおける商品および買い物客の移動方向下流側に設けられ、精算結果に基づき、買い物客に対して金銭の授受やレシートの出力を行う電子キャッシュレジスタ７とを備えている。
【００１５】
バーコード読取装置３は、図１、図３に示すように、略台形の側面を有した略四角柱状の本体を有しており、この本体の長手方向とサッカー台２の長手方向とが同一の方向となるように、サッカー台２上に載置されている。この本体の天面部には、この本体の長手方向の略中央に位置するように前述の読取窓８が設けられている。また、この天面部は、オペレータ側に向かうに従って下方に進行する傾斜面となるように形成されており、読取窓８から出射される走査光が、オペレータの目に入らない程度の範囲で、鉛直方向よりも若干量、オペレータよりに進行するようになっている。
【００１６】
ディスプレイ４は、透明部材により構成された表示部４ａと、この表示部４ａをバーコード読取装置３の上部に支持固定する支持体４ｂとから構成されている。このディスプレイ４は、例えば、バーコード読取装置３に設けられた図示しない表示制御手段により、この表示部４ａへの表示が制御されるもので、バーコード読取装置３によりバーコードを読み取られた商品は、その商品名や価格等の精算情報が表示部４ａに表示されるようになっている。
【００１７】
表示部４ａは、例えば透過性を有する有機ＥＬパネルにより構成されている。この有機ＥＬパネルは、電界発光層の上下を透明導電膜で挟むとともに、これらをガラス板などの透明基板でさらに上下から封止し、この透明導電膜を駆動するＴＦＴなどの駆動回路領域と電界発光層で生成された光が出光する表示領域とが重ならないように形成することで、電界発光層の上下方向に向けて出光可能としたデュアルエミッション型の有機ＥＬパネルを使用している。従って、この有機ＥＬパネルに表示される画像は、図７に示すように、表側と裏側から、換言すれば、オペレータ側と客側から同時に視認できるようになっているとともに、画像が表示される部分の透過率を調整することにより、パネルを介して対向側を透過して見ることができる。
【００１８】
次に、商品情報の入力処理を行う際に表示部４ａに表示される画面について説明する。
図２は、オペレータ３１が、商品１１に付されたバーコードを読取窓８にかざして、バーコード読取装置３に読み取らせた直後の状態を、客側から見たものである。
この状態において、表示部４ａには、バーコード読取装置３により読み取られた商品１１の個別精算情報２１（精算情報）と、商品１１よりも前に読み取られた商品の金額を含む、現時点での合計金額情報２２（精算情報）とが表示されている。
【００１９】
個別精算情報２１は、商品名を表す商品名部２１ａと、商品の写真や絵などの絵記号を表す画像部２１ｂと、読み取った商品の個数を表す個数部２１ｃと、商品の価格や個数などから算出される金額部２１ｄと、これら各情報２１ａ〜２１ｄの全体を囲む枠部、および、この枠部内において着色処理された着色部からなる精算情報表示領域２１ｅとから構成されている。個別精算情報２１は、図示しない制御手段により、バーコードがバーコード読取装置３により読み取られた直後に、表示部４ａの中央部の広大な領域に表示されるよう、制御されている。このため、買い物客３２は、図２、図３、図５に示すように、読み取り操作が行われた直後の商品１１と、表示部４ａに表示された個別精算情報２１とを、視線を大きく動かすことなく、ディスプレイ４を透過して略同時に視認することができる。
【００２０】
個別精算情報２１を構成する各情報２１ａ〜２１ｄは、有機ＥＬパネルの自発光により表示される。このため、表示部４ａの表示面を基準として、上下方向および左右方向のそれぞれに約１８０°の視野角を有している。従って、例えば、図４に示すように、買い物客の身長の高低に拘わらず、買い物客３２が確実に各情報２１ａ〜２１ｄを視認することを可能としている。同様に、図５のように、買い物客３２がディスプレイ４の正面に位置して精算を待つ場合だけでなく、図６のように、後ろあるいは横に並ぶ買い物客を気にして、ディスプレイ４の正面とは外れた場所に位置して精算を待つ場合であっても、買い物客３２が確実に各情報２１ａ〜２１ｄを視認することを可能としている。
【００２１】
精算情報表示領域２１ｅの着色部は、客側から見て、商品１１およびオペレータ３１を視認可能な程度の範囲内で半透明となるように、着色部外と比べて若干量透過率を下げて設定されており、有機ＥＬパネルを透過して写る背景をある程度遮ることで、着色部内に表示される各情報２１ａ〜２１ｄを目立たせる役割を有している（透過手段）。このため、ディスプレイ６を透過して商品１１を視認する効果を維持しつつ、買い物客３２による各情報２１ａ〜２１ｄの視認性を向上させることができる。
【００２２】
個別精算情報２１は、オペレータ３１により次の商品の読み取り操作が行われるまでの間、表示される。また、上述したように、本一実施形態では、読み取り操作を行った商品の商品名のみならず、商品の写真も画像部２１ｂに表示している。従って、読取窓８において読み取り操作を行った直後のみならず、商品１１が買い物かご１０内に入れられた後であっても、次の商品が読み取られるまでの間であれば、画像部２１ｂを参照することにより、読み取られた商品と、この商品の精算情報とを再確認することができる。
【００２３】
合計金額情報２２は、買い物客が購入しようとする複数の商品について、最初の商品から最後の商品の精算処理が終了するまでの間、常時表示される。また、視認性を高めるために個別精算情報２１の精算情報表示領域２１ｅよりも更に透過率を下げた状態で着色表示されているとともに、買い物客３２による商品１１の視認が阻害されないよう、画面上の最下方位置に配置されている。
【００２４】
このように、本発明の第一の実施形態においては、ディスプレイ４の表示部４ａを、透過性を有する有機ＥＬパネルにより形成し、読み取り操作された商品の精算情報をこの表示部４ａ上に表示したため、買い物客は、背の高さや立ち位置等の条件に左右されることなく、商品コードの読み取りなどにより商品情報の入力が行われる商品と、この入力操作が行われることにより表示される商品の精算情報とを、略同時に視認することができる。
【００２５】
次に、図８を参照して、本発明の第二の実施形態を説明する。なお、前述した第一の実施形態と同一の部分には同一の符号を付し、詳細な説明は省略する。
この第二の実施形態が前述した第一の実施形態と異なる点は、個別精算情報２１の表示方法にある。オペレータ３１により商品１１の読み取り操作が行われた直後、表示部４ａには、二点鎖線で示す位置に個別精算情報２１が表示されるが、この個別精算情報２１は、所定時間（例えば、約1秒程度）に亘り二点鎖線で示す位置にて表示を続けた後、矢印２３で示す方向に向けてスクロールするよう、図示しない制御手段により設定されている。
【００２６】
矢印２３で示すスクロールの方向は、オペレータ３１が商品を買い物かご９から買い物かご１０に移動させる方向と同一であり、そのスクロールの速さは、個別精算情報２１のスクロール中、買い物客３２が表示内容を認識可能であるように、比較的緩やかな速度に設定されている。
【００２７】
このように、本発明の第二の実施形態においては、商品１１の読み取り操作が行われた際に、個別精算情報２１を表示部４ａに所定時間表示させ、その後、商品１１の移動方向と同一の方向にスクロールさせるので、商品１１の読み取り操作が行われた直後のみならず、オペレータ３１により読取窓８から買い物かご１０に移動される間においても、商品１１と個別精算情報２１とを、ディスプレイ４を透過して略同時に視認することができる。
【００２８】
なお、個別精算情報２１を静止させる時間やスクロールさせる速さは、店舗用精算装置１が使用される環境や、ディスプレイ６および個別精算情報２１の大きさ等に応じて、図示しない制御手段により任意に設定可能としてよい。その際、買い物客が個別精算情報２１の表示内容を十分に認識可能となるように、移動の開始時、終了時、またはその間において、必ず一旦静止させる時間を設けることが、より好ましい。
【００２９】
また、個別精算情報２１をスクロールさせる表示部４ａ上の範囲は、上述した実施形態に限るものではなく、買い物客から商品と個別精算情報とが略同時に視認し易くなるように、適宜設定され得る。
【００３０】
次に、図９、図１０を参照して、本発明の第三の実施形態を説明する。なお、前述した第一の実施形態と同一の部分には同一の符号を付し、詳細な説明は省略する。
第三の実施形態は、図６において説明した状況、すなわち、買い物客が、後続の買い物客の邪魔にならないように、ディスプレイ４よりも下流側において精算を待つ状況を考慮したものである。
【００３１】
図９において、バーコード読取装置１０３には、個別精算情報２１が表示される表示部４ａの中央位置に対して商品の移動方向上流側となるよう、端部位置に偏倚させて読取窓１０８が設けられている。このため、店舗用精算装置１０１は、個別精算情報２１を、相対的に読取窓１０８の下流側において表示させる構成となっている。これにより、買い物客３２が読取窓１０８において読み取られている商品を視認する際、図中に示す矢印の如く、買い物客の視線は、図６の場合と比較して、個別精算情報２１上のより中央付近の位置を通ることとなる。
【００３２】
このように、本発明の第三の実施形態においては、バーコード読取装置１０３について、個別精算情報２１よりも商品の移動方向上流側に偏倚させた位置に読取窓１０８を備えた構成としたので、チェックアウトカウンタ１の下流側において精算を待つ買い物客は、読み取り操作が行われた商品と個別精算情報２１とを併せて視認する際の視線の移動を、より少なく済ませることができる。
【００３３】
なお、読取窓により読み取られる商品がディスプレイを透過して買い物客から視認可能となる位置関係であれば、図１０に示す店舗用精算装置２０１のように、バーコード読取装置２０３をディスプレイ４と完全に別体としてもよい。
【００３４】
本発明は、上述した実施形態には制約されない。本発明の要旨を逸脱しない範囲内であれば、適宜、変更してもよい。
上述の一実施形態では、表示部４ａとして、デュアルエミッション型の有機ＥＬパネルを採用したが、これに限るものではなく、表示部４ａの表示面を基準として、上下方向および左右方向のそれぞれに少なくとも約１２０°以上の視野角を有し、且つ、透過性を有するものであれば、他の表示装置を使用してもよい。
【００３５】
また、本発明の対向部を有した商品情報入力手段として、商品に付されたバーコードを読み取る読取窓８を有したバーコード読取装置３を用いて説明したが、これに限るものではなく、例えば、計量皿（対向部）を介して商品の重量を計測する計量部（商品情報入力手段）を有した計量器など、商品の重量や大きさなどに基づいて商品情報の登録を行う装置を含むものである。
【００３６】
さらに、入力された商品情報から精算情報を特定する際に使用される台帳データは、店舗用精算装置１とは別体の店舗サーバに格納される以外にも、店舗規模などの環境条件によって、店舗用精算装置１内に設けてもよい。これは、計量器など、本発明に係る他の実施態様においても同様である。
【符号の説明】
【００３７】
１…店舗用精算装置
２…サッカー台
３…バーコード読取装置（商品情報入力手段）
４…ディスプレイ（表示手段）
４ａ…表示部
４ｂ…支持体
５…キーボード
８…読取窓（対向部）
１１…商品
２１…個別精算情報（精算情報）
２１ａ…商品名部
２１ｂ…画像部
２１ｃ…個数部
２１ｄ…金額部
２１ｅ…精算情報表示領域
２２…合計金額情報（精算情報）
３１…オペレータ
３２…買い物客
【先行技術文献】
【特許文献】
【００３８】
【特許文献１】再公表特許ＷＯ９１／０４５５０号公報（図９、図１０、図１１）
【図１】
2010108515.tif 000003
【図２】
2010108515.tif 000004
【図３】
2010108515.tif 000005
【図４】
2010108515.tif 000006
【図５】
2010108515.tif 000007
【図６】
2010108515.tif 000008
【図７】
2010108515.tif 000009
【図８】
2010108515.tif 000010
【図９】
2010108515.tif 000011
【図１０】
2010108515.tif 000012